(57)【要約】【課題】ユーザに煩わしさを感じさせない観点から適当な形態で情報を出力しうる情報システム等を提供することを解決課題とする。【解決手段】本発明の情報システムによれば、第１記憶部２１１に格納されている情報のうち未抽出の情報と、第２記憶部２１２に格納されている情報のうち未出力かつ重要度が基準値以上の情報とについてのみ、ユーザによる出力指示の有無が確認される。これにより、配信情報サーバ１００から配信または放送され、既に出力された情報および未出力であっても重要度が基準値未満の情報について出力指示または非出力指示がユーザに強要される事態が回避される。【選択図】  図１
2008033591.tif 000002
【特許請求の範囲】
【請求項１】
移動装置に搭載され、情報配信サーバから配信または放送された情報を出力する情報装置であって、
前記情報配信サーバから配信または放送された、重要度が付された情報を受信し、当該情報を第１記憶部に格納する第１処理を実行する第１処理部と、
該第１記憶部に格納されている情報のうちすべての未抽出情報を抽出し、第２記憶部に格納されている出力有無および重要度が付された情報のうち未出力かつ重要度が基準値以上の情報を選択的に抽出し、当該抽出情報のそれぞれのユーザによる出力指示の有無を確認し、当該抽出情報のうち当該出力指示があった情報を出力し、当該抽出情報に最新の出力有無を付して該第２記憶部に格納する第２処理を実行する第２処理部とを備えていることを特徴とする請求項１記載の情報装置。
【請求項２】
前記第１処理部が、第１イベントを検知したことに応じて前記第１処理を実行することを特徴とする請求項１記載の情報装置。
【請求項３】
前記第２処理部が、第２イベントを検知したことに応じて前記第２処理を実行することを特徴とする請求項１または２記載の情報装置。
【請求項４】
前記第２処理部が、前記抽出情報のそれぞれのユーザによる出力指示の有無を、それぞれの当該抽出情報の前記重要度に応じた順番で確認することを特徴とする請求項１〜３のうちいずれか１つに記載の情報装置。
【請求項５】
前記第２処理部が、前記第２記憶部に格納されている情報のそれぞれの前記第１処理部による受信からの経過時間、または前記第２記憶部への格納からの経過時間が所定の制限時間を超えたか否かを認識し、当該経過時間が当該制限時間を超えたと認識したことを要件として当該情報を前記第２記憶部から削除または廃棄することを特徴とする請求項１〜４のうちいずれか１つに記載の情報装置。
【請求項６】
前記第２処理部が前記制限時間として前記情報の重要度が高いほど長い時間を認識することを特徴とする請求項５記載の情報装置。
【請求項７】
移動装置に搭載されている情報装置との通信によって、当該情報装置による情報出力を補助する情報配信サーバであって、
請求項１〜６のうちいずれか１つに記載の情報装置との通信により当該情報装置または当該情報装置が搭載されている移動装置の識別情報を認識し、当該識別情報に応じた情報を情報データベースから検索し、当該検索情報を当該識別情報により識別される情報装置、または当該識別情報により識別される移動装置に搭載されている情報装置に配信する配信制御部を備えていることを特徴とする情報配信サーバ。
【請求項８】
請求項１〜６のうちいずれか１つに記載の情報装置と、請求項７記載の情報配信サーバにより構成されていることを特徴とする情報システム。
【発明の詳細な説明】
【技術分野】
【０００１】
本発明は、移動装置に搭載されている情報装置、当該情報装置に情報を配信する情報配信サーバ、および当該情報配信サーバと情報装置とより構成されている情報システムに関する。
【背景技術】
【０００２】
情報センターからリコール対象である車両を指定する車両情報が配信され、各車両に搭載されているコンピュータシステムが当該車両情報と自己車両のＩＤとに基づいて自己車両がリコールの対象となっているか否かを判定し、リコール対象に該当すると判定した場合にはリコールに関連する情報をディスプレイ装置に表示する技術手法が提案されている（たとえば特許文献１参照）。
【特許文献１】特開２００３−１０１５５２号公報  請求項３、第００６１段落〜第００６３段落
【発明の開示】
【発明が解決しようとする課題】
【０００３】
しかし、ディスプレイ装置に表示されうるリコール情報、広告情報、道路交通情報、気象情報等の種々の情報には、ユーザにとっての有用性が高い情報だけではなく、当該有用性が低い情報も含まれている。このため、すべての情報について無制限に、ディスプレイ装置への表示または非表示について意思表示を強要されるとユーザに煩わしさを感じさせる可能性がある。
【０００４】
そこで、本発明は、ユーザに煩わしさを感じさせない観点から適当な形態で情報を出力しうる情報装置、当該情報装置による情報出力を補助する情報配信サーバ、および当該情報配信サーバと情報装置とによって構成される情報システムを提供することを解決課題とする。
【課題を解決するための手段】
【０００５】
前記課題を解決するための第１発明の情報装置は、移動装置に搭載され、情報配信サーバから配信または放送された情報を出力する情報装置であって、前記情報配信サーバから配信または放送された、重要度が付された情報を受信し、当該情報を第１記憶部に格納する第１処理を実行する第１処理部と、該第１記憶部に格納されている情報のうちすべての未抽出情報を抽出し、第２記憶部に格納されている出力有無および重要度が付された情報のうち未出力かつ重要度が基準値以上の情報を選択的に抽出し、当該抽出情報のそれぞれのユーザによる出力指示の有無を確認し、当該抽出情報のうち当該出力指示があった情報を出力し、当該抽出情報に最新の出力有無を付して該第２記憶部に格納する第２処理を実行する第２処理部とを備えていることを特徴とする。
【０００６】
第１発明の情報装置によれば、第１記憶部に格納されている情報のうち未抽出の情報と、第２記憶部に格納されている情報のうち未出力かつ重要度が基準値以上の情報とについてのみ、ユーザによる出力指示の有無が確認される。これにより、配信情報サーバから配信または放送され、既に出力された情報および未出力であっても重要度が基準値未満の情報について出力指示または非出力指示がユーザに強要される事態が回避される。すなわち、ユーザがすべての情報について無制限に出力または非出力について意思表示を強要される事態が回避される。したがって、その分だけ煩わしさを感じさせずに当該ユーザに情報を認識させることができる。
【０００７】
なお、本発明の構成要素が情報を「認識する」とは、当該構成要素が情報を受信すること、情報をデータベースやメモリから検索または読み出すこと、受信等した基礎情報に基づいて演算処理によって情報を算定、推定、設定、決定、探索等すること、パケットをデコードして情報を顕在化させること、さらには算定等した情報をメモリに保存すること等、他の情報処理のために当該情報を準備するためのあらゆる情報処理を実行することを意味する。また、本発明の構成要素が情報を「出力する」とは、当該構成要素が人間にとってその視覚、聴覚、触覚等の五感を通じて認識可能な形態で、当該情報を画像、音声、振動等として出力することを意味する。さらに、情報配信サーバから配信または放送される情報には、リコール情報のほか、広告情報、道路交通情報、気象情報等、移動装置のユーザによって利用されうるあらゆる情報が含まれる。
【０００８】
また、第２発明の情報装置は、第１発明の情報装置において、前記第１処理部が、第１イベントを検知したことに応じて前記第１処理を実行することを特徴とする。
【０００９】
第２発明の情報装置によれば、第１イベントが適当に設定されることにより、適当な状況で情報配信サーバから配信または放送される情報が受信された上で第１記憶部に格納されうる。第１イベントには、たとえば情報装置においてユーザによる所定の操作があったことが含まれる。
【００１０】
さらに、第３発明の情報装置は、第１または第２発明の情報装置において、前記第２処理部が、第２イベントを検知したことに応じて前記第２処理を実行することを特徴とする。
【００１１】
第３発明の情報装置によれば、第２イベントが適当に設定されることにより、適当な状況で第１記憶部および第２記憶部からの情報の抽出、および当該抽出情報についてのユーザによる出力指示の有無が確認等されうる。第２イベントには、たとえば移動装置の起動、または情報装置の起動が含まれうる。
【００１２】
また、第４発明の情報装置は、第１〜第３発明のうちいずれか１つの情報装置において、前記第２処理部が、前記抽出情報のそれぞれのユーザによる出力指示の有無を、それぞれの当該抽出情報の前記重要度に応じた順番で確認することを特徴とする。
【００１３】
第４発明の情報装置によれば、重要度が高い順に情報の出力指示の有無が確認されうる。これにより、重要度が高い情報の存在を早期にユーザに認識させ、当該重要度が高い情報を早期に出力させることができる。
【００１４】
さらに、第５発明の情報装置は、第１〜第４発明のうちいずれか１つの情報装置において、前記第２処理部が、前記第２記憶部に格納されている情報のそれぞれの前記第１処理部による受信からの経過時間、または前記第２記憶部への格納からの経過時間が所定の制限時間を超えたか否かを認識し、当該経過時間が当該制限時間を超えたと認識したことを要件として当該情報を前記第２記憶部から削除または廃棄することを特徴とする。
【００１５】
第５発明の情報装置によれば、ユーザにとって不要である蓋然性の高い古い情報が削除されることで、当該情報を格納するための第２記憶部の記憶容量の節約または有効活用が図られる。
【００１６】
さらに、第６発明の情報装置は、第５発明の情報装置において、前記第２処理部が前記制限時間として前記情報の重要度が高いほど長い時間を認識することを特徴とする。
【００１７】
第６発明の情報装置によれば、情報の重要度が高いほど当該情報が長い時間にわたって保存されているので、重要度が高い情報にユーザが接触する可能性を高くすることができる。
【００１８】
前記課題を解決するための第７発明の情報配信サーバは、移動装置に搭載されている情報装置との通信によって、当該情報装置による情報出力を補助する情報配信サーバであって、第１〜第６発明のうちいずれか１つの情報装置との通信により当該情報装置または当該情報装置が搭載されている移動装置の識別情報を認識し、当該識別情報に応じた情報を情報データベースから検索し、当該検索情報を当該識別情報により識別される情報装置、または当該識別情報により識別される移動装置に搭載されている情報装置に配信する配信制御部を備えていることを特徴とする。
【００１９】
第７発明の情報配信サーバによれば、移動装置またはこれに搭載されている情報装置を識別するための識別情報に応じた情報を当該情報装置に対して配信させ、当該情報装置に当該情報を出力させることができる。
【００２０】
前記課題を解決するための第８発明の情報システムは、第１〜第６発明のうちいずれか１つの情報装置と、第７発明の情報配信サーバにより構成されていることを特徴とする。
【００２１】
第８発明の情報システムによれば、ユーザがすべての情報について無制限に出力または非出力について意思表示を強要される事態が回避されるので、その分だけ煩わしさを感じさせずに当該ユーザに情報を認識させることができる。
【発明を実施するための最良の形態】
【００２２】
本発明の情報装置、ナビサーバおよび情報システムの実施形態について図面を用いて説明する。
【００２３】
図１は本発明の情報システムの構成説明図であり、図２〜図４は本発明の情報システムの機能説明図である。
【００２４】
本発明の情報システムの構成について図１を用いて説明する。
【００２５】
図１に示されている情報システムはナビサーバ（情報配信サーバ）１００と、自動車（移動装置）Ｑに搭載されているナビ装置（情報装置）２００とにより構成されている。
【００２６】
ナビサーバ１００は、一または複数のサーバコンピュータ（ＣＰＵ，ＲＯＭ，ＲＡＭ，Ｉ／Ｏ等により構成されている。）により構成されている。ナビサーバ１００は配信情報データベース１０２と、配信制御部１２０とを備えている。配信情報データベース１０２は情報の配信対象となる自動車Ｑの識別情報（ＩＤ）と、当該情報の重要度と、配信情報（情報内容）とを対応付けて記憶または保存する。なお、配信情報データベース１０２はナビサーバ１００とは別個のデータベースサーバとして構成されていてもよい。
【００２７】
配信制御部１２０はナビ装置２００との通信により自動車Ｑの識別情報を認識し、当該識別情報に対応付けられている配信情報および重要度を配信情報データベース１０２から検索する。そして、配信制御部１２０は当該自動車Ｑに搭載されているナビ装置２００に情報およびその重要度を配信または送信する。
【００２８】
ナビ装置２００は自動車Ｑに搭載されたハードウェアとしてのＥＣＵまたはコンピュータ（ＣＰＵ，ＲＯＭ，ＲＡＭ，Ｉ／Ｏ等により構成されている。）と、メモリに格納され、当該コンピュータに諸機能を付与するソフトウェアとしてのナビプログラムにより構成されている。なお、ナビプログラムは最初から車載コンピュータのメモリ（ＲＯＭ）に格納されていてもよいが、車載コンピュータからのリクエストがあったとき等の任意のタイミングでこのプラグラムの抜粋または全部がサーバ（図示略）からネットワークや衛星放送を介して当該車載コンピュータにダウンロードされ、そのメモリ（ＲＡＭ）等に格納されてもよい。
【００２９】
ナビ装置２００はナビディスプレイ２０２と、マップ記憶部２０４と、第１記憶部２１１と、第２記憶部２１２と、ナビ制御部２２０とを備えている。
【００３０】
ナビディスプレイ２０２は自動車Ｑのセンターコンソールに配置され、マップ記憶部２０４に格納されているナビマップ情報に応じたマップや、ナビ制御部２２０により探索されたルート等を表示する。
【００３１】
マップ記憶部２０４にはナビ装置２００によるルートの探索に用いられる「ナビマップ情報」が格納されている。ナビマップ情報は複数のリンク（交差点や右折点、左折点等の道路における任意の２つの点を結ぶ道路要素を意味する。）のそれぞれの長さ、配置関係等、少なくともルートの探索に必要な情報が含まれている。
【００３２】
第１記憶部２１１は「重要度」および「受信時刻」が付された配信情報を記憶する。
【００３３】
第２記憶部２１２はナビディスプレイ２０２における表示有無（出力有無）を示す「フラグ」「重要度」および「受信時刻」が付された情報を記憶する。情報が表示されたことに応じて当該情報にはフラグ「１」が付される。
【００３４】
ナビ制御部２２０は第１処理部２２１と第２処理部２２２とを備えている。
【００３５】
第１処理部２２１は「第１処理」を実行する。具体的には、第１処理部２２１は情報配信サーバ１００から配信または放送された、重要度が付された情報を受信した上で第１記憶部２１１に格納する。
【００３６】
第２処理部２２２は「第２処理」を実行する。具体的には、第２処理部２２２は第１記憶部２１１に格納されている情報の中からすべての未抽出情報を抽出する。また、第２処理部２２２は第２記憶部２１２に格納されている出力有無および重要度が付された情報の中から未出力かつ重要度が基準値以上の情報を選択的に抽出する。さらに、第２処理部２２２は当該抽出情報のそれぞれのユーザによる出力指示の有無を確認し、当該抽出情報のうち当該出力指示があった情報をナビディスプレイ２０２に出力する。そして、当該抽出情報に最新の出力有無を付して第２記憶部２１２に格納する。
【００３７】
前記構成の情報システムの機能について図２〜図４を用いて説明する。
【００３８】
まず、第１処理部２２１により実行される「第１処理」の流れについて図２を用いて説明する。
【００３９】
具体的には、第１処理部２２１は「第１イベント」があったことを認識した場合（図２／Ｓ２０２‥ＹＥＳ）、当該自動車Ｑの識別情報（製品番号等）ＩＤを情報配信サーバ１００に送信する（図２／矢印Ａ１）。「第１イベント」にはナビ装置２００がユーザにより所定の態様で操作されることが含まれる。
【００４０】
情報配信サーバ１００に識別情報が送信されてきたことに応じて、配信制御部１２０が当該識別情報を受信または認識する（図２／Ｓ１０２）。また、配信制御部１２０は当該識別情報に基づき、当該自動車Ｑが配信対象である情報と、当該情報の重要度とを配信情報データベース１０２から検索する（図２／Ｓ１０４）。そして、配信制御部１２０は当該情報および重要度を、識別情報により識別される自動車Ｑに搭載されているナビ装置２００に配信する（図２／矢印Ａ２）。これにより、たとえば識別情報が「Ａ００１００」である自動車Ｑに搭載されているナビ装置２００に対して重要度「９」が付された情報「×××のリコール」、重要度「６」が付された情報「サーバメンテナンス情報」等が配信される（図１参照）。
【００４１】
第１処理部２２１は情報配信サーバ１００から配信された当該情報を受信した上で第１記憶部２１１に格納する（図２／Ｓ２０４）。これにより、たとえば「２００６年０１月０２日０：００」に受信された重要度「９」の「×××のリコール」という情報、同時刻に受信された重要度「６」の「サーバメンテナンス情報」等の情報が第１記憶部２１１に格納される（図１参照）。
【００４２】
次に、第２処理部２２２により実行される「第２処理」の流れについて図３を用いて説明する。
【００４３】
具体的には、第２処理部２２２は「第２イベント」があったことを認識した場合（図３／Ｓ２０６‥ＹＥＳ）、第１記憶部２１１に格納されている情報の中から未抽出情報の有無を判定する（図３／Ｓ２０８）。第１記憶部２１１に格納されている情報は第２処理部２２２により抽出された後で第１記憶部２１１から消去または削除されるので、この段階で第１記憶部２１１に格納されている情報はすべて未抽出情報であると認識される。「第２イベント」には自動車ＱのイグニッションスイッチがＯＦＦからＯＮに切り替えられ、ナビ装置２００への通電が開始して当該ナビ装置２００が起動したことが含まれる。なお、第２イベントには、ナビ装置２００やハンズフリー通話装置等の車載機器が所定の態様で操作されたこと、運転席のシートベルトが運転者に装着されたこと等、ユーザに情報を提供する観点から適当な状況またはタイミングを実現しうるさまざまなイベントが含まれる。
【００４４】
そして、第２処理部２２２は第１記憶部２１１に格納されている情報の中に未抽出情報があると判定した場合（図３／Ｓ２０８‥ＹＥＳ）、第１記憶部２１１から当該情報を抽出する（図３／Ｓ２１０）。しかる後、前記のように第１記憶部２１１から抽出された情報は第１記憶部２１１から削除または消去される。第１記憶部２１１に格納されている情報は、前回の第２イベントから今回の第２イベントまでの間に起きた第１イベントの回数に応じた回数にわたり、第１処理部２２１により受信された情報である。
【００４５】
さらに、第２処理部２２２はフラグがまだたっておらず（未出力であり）、かつ、重要度が基準値（たとえば「５」）以上の情報が第２記憶部２１２に格納されているか否かを認識する（図３／Ｓ２１２）。そして、第２処理部２２２は未出力、かつ、重要度が基準値以上の情報が第２記憶部２１２に格納されていると認識した場合（図３／Ｓ２１２‥ＹＥＳ）、第２記憶部２１２に格納されている情報の中から当該情報を選択的に抽出する（図３／Ｓ２１４）。さらに、第２処理部２２２は第１記憶部２１１および第２記憶部２１２のうち一方または両方から抽出された情報の有無を判定する（図３／Ｓ２１５）。一方、第２処理部２２２は未出力、かつ、重要度が基準値以上の情報が第２記憶部２１２に格納されていないと認識した場合（図３／Ｓ２１２‥ＮＯ）、第１記憶部２１１および第２記憶部２１２のうち一方または両方から抽出された情報の有無を判定する（図３／Ｓ２１５）。
【００４６】
そして、第２処理部２２２は第１記憶部２１１および第２記憶部２１２のうち一方または両方から抽出された情報があると判定した場合（図３／Ｓ２１５‥ＹＥＳ）、当該抽出情報に応じた「情報出力指示画面」をナビディスプレイ２０２に表示する（図３／Ｓ２１６）。その上で、第２処理部２２２は当該画面表示に応じてユーザによる出力指示があったか、あるいはユーザによる非出力指示があったかを判定する（図３／Ｓ２１８）。そして、第２処理部２２２はユーザによる出力指示があったと認識した場合（図３／Ｓ２１８‥１）、当該出力指示があった情報をナビディスプレイ２０２に表示する（図３／Ｓ２２０）。
【００４７】
たとえば、第２記憶部２１２に格納されている情報の中から複数の情報が抽出された場合、図４（ａ）に示されているように「○○件のお知らせがあります」等、当該抽出情報の数を示すメッセージに加え、「情報表示」および「後で見る」ボタンがナビディスプレイ２０２に表示される。なお、図４（ａ）に示されているように、マップ記憶部２０４に格納されているナビマップ情報に応じたマップおよび自動車Ｑの現在位置および向きを表すアイコン等がナビディスプレイ２０２に表示されていてもよい。
【００４８】
図４（ａ）に示されている画面において「情報表示」ボタンがユーザによりタッチされた場合（出力指示があった場合）、図４（ｂ）に示されているように画面左側に複数の抽出情報のうちの１つの情報のタイトルおよび内容が表示され、画面右側に「前の情報」「次の情報」および「選択」ボタンが表示される。その一方、図４（ａ）に示されている画面において「後で見る」ボタンがユーザによりタッチされた場合（非出力指示があった場合）、複数の抽出情報のそれぞれはナビディスプレイ２０２に表示されず、マップや自動車Ｑの現在位置や進行方向を示すアイコン等を含む元の画面が出力される。
【００４９】
図４（ｂ）に示されている画面において「次の情報」ボタンがタッチされた場合（さらなる出力指示があった場合）、同じく図４（ｂ）に示されているように画面左側に次の情報の「タイトル」および「内容」が表示され、右側に「前の情報」「次の情報」および「選択」ボタンが表示される。なお、前の情報ボタンは前の情報がない場合には表示されなくてもよく、次の情報ボタンは次の情報がない場合には表示されなくてもよい。このように「次の情報」ボタンが繰り返しタッチされることにより、複数の抽出情報のタイトルおよび内容がナビディスプレイ２０２に逐次表示されるが、その表示順位は重要度が高い順に設定されている。
【００５０】
なお、各情報の表示順位が第１処理部２２１による当該各情報の受信時刻からの経過時間の長短に基づいて決定されていてもよい。さらに、複数の情報のタイトルおよび内容が一度に、かつ、重要度および受信時刻からの経過時間のうち少なくとも一方に応じて決定された順番で並べられてナビディスプレイ２０２に表示されてもよい。
【００５１】
第２記憶部２１２に格納されている情報の中から１つの情報のみが抽出された場合、図４（ｃ）に示されているように「リコールのご案内」等、当該抽出情報のタイトルに加え、「情報表示」および「後で見る」ボタンがナビディスプレイ２０２に表示される。
【００５２】
図４（ｃ）に示されている画面において「情報表示」ボタンがタッチされた場合（出力指示があった場合）、図４（ｄ）に示されているように画面左側に当該１つの抽出情報の「タイトル」および「内容」が表示され、右側に「画像表示」ボタンが表示される。その一方、図４（ｃ）に示されている画面において「後で見る」ボタンがユーザによりタッチされた場合（非出力指示があった場合）、当該１つの抽出情報はナビディスプレイ２０２に表示されず、マップや自動車Ｑの現在位置や進行方向を示すアイコン等を含む元の画面が出力される。
【００５３】
図４（ｄ）に示されている画面において「画像表示」ボタンがタッチされた場合（出力指示があった場合）、たとえば図４（ｅ）に示されているように自動車Ｑのリコール部品を説明する画像が表示される。
【００５４】
また、第２処理部２２２はユーザによる出力指示があったと認識し、当該情報を出力した場合（図３／Ｓ２１８‥１，Ｓ２２０）、当該情報にフラグ「１」を付し（図３／Ｓ２２２）、当該情報を第２記憶部２１２に格納する（図３／Ｓ２２４）。これにより、たとえば受信時刻「２００６年０１月０１日０：００」、重要度「４」およびフラグ「１」が付された情報「スマートカードキーについて」が第２記憶部２１２に格納される（図１参照）。
【００５５】
一方、第２処理部２２２はユーザによる非出力指示があったと認識した場合（図３／Ｓ２１８‥２）、フラグ「１」を付することなく当該抽出情報を第２記憶部２１２に格納する（図３／Ｓ２２４）。これにより、たとえば受信時刻「２００６年０１月０１日０：００」および重要度「８」が付された情報「××のサービスキャンペーン」等の情報がフラグ「１」が付されないまま第２記憶部２１２に格納される（図１参照）。
【００５６】
さらに、第２処理部２２２は第２記憶部２１２に格納されている情報の中に、「削除要件」を満たす情報があるか否かを判定する（図３／Ｓ２２６）。削除要件には受信時刻からの経過時間が制限時間を超えていることが含まれている。当該制限時間は、情報ごとに重要度が高いほど長く設定され、表示済みフラグが「１」であると短く設定される。
【００５７】
ナビ制御部２２０は第２記憶部２１２に格納されている情報の中に当該削除要件を満たす情報があると判定した場合（図３／Ｓ２２６‥ＹＥＳ）、第２記憶部２１２から当該情報を選択的に削除する（図３／Ｓ２２８）。
【００５８】
前記機能を発揮する情報システムによれば、第１記憶部２１１に格納されている情報のうち未抽出の情報と、第２記憶部２１２に格納されている情報のうち未出力かつ重要度が基準値以上の情報とについてのみ、ユーザによる出力指示の有無が確認される（図３／Ｓ２０８〜Ｓ２１６、図４（ａ）（ｃ）参照）。これにより、配信情報サーバ１００から配信され、既に出力された情報および未出力であっても重要度が基準値未満の情報について出力指示または非出力指示がユーザに強要される事態が回避される。すなわち、ユーザがすべての情報について無制限に出力または非出力について意思表示を強要される事態が回避される。したがって、その分だけ煩わしさを感じさせずに当該ユーザに情報を認識させることができる。
【００５９】
また「第１イベント」の検知に応じて第１処理が実行されるので、当該第１イベントが適当に設定されることにより、適当な状況で情報配信サーバ１００から配信される情報が受信された上で第１記憶部２１１に格納されうる（図２／Ｓ２０２参照）。
【００６０】
さらに「第２イベント」の検知に応じて第２処理が実行されるので、当該第２イベントが適当に設定されることにより、適当な状況で第１記憶部２１１および第２記憶部２１２からの情報の抽出、および当該抽出情報についてのユーザによる出力指示の有無が確認等されうる（図３／Ｓ２０６参照）。
【００６１】
また、複数の抽出情報について重要度が高い順に情報の出力指示の有無が確認されうるので、重要度が高い情報の存在を早期にユーザに認識させ、当該重要度が高い情報を早期に出力させることができる（図４（ａ）（ｂ）参照）。さらに、複数の情報が一度に出力される場合はその整列順位により、当該複数の情報のそれぞれをその重要度とともにユーザに認識させることができる。
【００６２】
また、第１処理部２２１による受信からの経過時間が制限時間を超えた情報が削除または廃棄される（図３／Ｓ２２６，Ｓ２２８参照）。また、この制限時間は情報の重要度が高いほど長く設定され、フラグ「１」が付されている場合には当該フラグ「１」が付されていない場合よりも短く設定される。これにより、ユーザにとって不要である蓋然性の高い情報が削除され、当該情報を格納するためのメモリ容量の節約または有効活用が図られる。
【図面の簡単な説明】
【００６３】
【図１】本発明の交通情報管理システムの構成説明図
【図２】本発明の交通情報管理システムの機能説明図
【図３】本発明の交通情報管理システムの機能説明図
【図４】本発明の交通情報管理システムの機能説明図
【符号の説明】
【００６４】
１００‥ナビサーバ、１０２‥配信情報データベース、１２０‥配信制御部、２００‥ナビ装置（情報装置）、２０２‥ナビディスプレイ、２０４‥マップ記憶部、２１１‥第１記憶部、２１２‥第２記憶部、２２０‥ナビ制御部、Ｑ‥自動車（移動装置）、２２１‥第１処理部、２２２‥第２処理部
【図１】
2008033591.tif 000003
【図２】
2008033591.tif 000004
【図３】
2008033591.tif 000005
【図４】
2008033591.tif 000006